(57)【特許請求の範囲】
【請求項１】
吸引風を発生する電動送風機と、前記電動送風機を内装する掃除機本体と、前記電動送風機からの排気を排気する排気口と、前記排気口を覆う着脱自在の排気フィルターと、前記排気フィルターを前記掃除機本体に固定する排気カバーとからなり、前記排気フィルターは、外郭を形成する枠体と、前記枠体に取付けられたフィルターと、から構成されており、前記排気カバーには、前記排気フィルター側に突出された複数の押さえ部が設けられており、前記排気フィルターは、前記排気フィルターの枠体の一端が前記掃除機本体の外郭の内側に挿入されるとともに、前記押さえ部が前記枠体に当接することで、前記掃除機本体及び前記排気カバーによって保持されることを特徴とする電気掃除機。
【請求項２】
排気フィルターを収納する凹状の排気フィルター収納部を掃除機本体の上面に設け、前記排気フィルターの上面に排気カバーを配置したことを特徴とする請求項１に記載の電気掃除機。
【発明の詳細な説明】
【技術分野】
【０００１】
本発明は、電気掃除機に関するもので、特に枠体とフィルターから構成される排気フィルターの保持方法に関するものである。
【背景技術】
【０００２】
従来の塵埃を集塵箱に収用するタイプの電気掃除機において、本体の外郭に設けた排気口から排気する際に極力塵埃を排出しないようにするための排気フィルターが開口部に配置されている。また、この排気フィルターは定期的にフィルターの掃除を行うために着脱自在に構成されていた。そして、この排気フィルターを容易に着脱する保持方法として、
本体の後部の排気口に設けた凹部にフィルターを収納して外郭を形成する排気カバーで覆うと共に爪嵌合で固定する構成のものや、排気口そのものはスリット状の開口部を外郭ケースと一体に形成し、上面開口部からフィルターを挿入する構成のものがあった（例えば、特許文献１参照）。
【特許文献１】実開平４−３６７７５号公報
【発明の開示】
【発明が解決しようとする課題】
【０００３】
しかし、従来の電気掃除機の排気フィルター保持方法の内、排気フィルターを排気カバーだけで保持する方法では、排気時に排気フィルターに加わる力を全て排気カバーが受けることになる。特に、近年のモーターの高入力化や排気のクリーンさが市場のニーズとして求められる中で、排気温度や排気圧力がいっそう上昇する傾向にあり、このような条件下で排気カバーだけで排気フィルターを確実に保持するためには、排気カバーと本体部の嵌合にバネ体の弾性力で摺動するロック機構を設ける、或いはビスで固定するなど、排気カバーの保持方法が複雑で高価なものとなったり、着脱時に工具を必要とするなど使い勝手が悪くなってしまうといった課題があった。
【０００４】
また、スリット状の開口部を外郭ケース一体に形成し、上面開口部からフィルターを挿入する構成のものにおいては、この様な課題は解決できるものの排気口を本体と一体に形成する必要があり成型の金型が複雑になるといった課題が有った。
【０００５】
本発明は、前記従来の課題を解決するもので、特に枠体とフィルターから構成される排気フィルターの保持手段を安価に実現することを目的とする。
【課題を解決するための手段】
【０００６】
前記従来の課題を解決するために、本発明の電気掃除機は、吸引風を発生する電動送風機と、前記電動送風機を内装する掃除機本体と、前記電動送風機からの排気を排気する排気口と、前記排気口を覆う着脱自在の排気フィルターと、前記排気フィルターを前記掃除機本体に固定する排気カバーとからなり、前記排気フィルターは、外郭を形成する枠体と、前記枠体に取付けられたフィルターと、から構成されており、前記排気カバーには、前記排気フィルター側に突出された複数の押さえ部が設けられており、前記排気フィルターは、前記排気フィルターの枠体の一部が前記掃除機本体の外郭の内側に挿入されるとともに、前記押さえ部が前記枠体に当接することで、前記掃除機本体及び前記排気カバーによって保持されることを特徴とするもので、排気カバーと本体部の嵌合にバネ体の弾性力で摺動するロック機構を設けなくとも、排気フィルターからの排気圧力を本体部でも受け止め分散し、排気カバーに加わる排気圧力を低減することで排気カバーの外れを防止し、確実かつ安価に排気フィルターを保持することが可能となる。
【発明の効果】
【０００７】
本発明の電気掃除機は、特に枠体とフィルターから構成される排気フィルターの保持手段を安価に実現出来るものである。
【発明を実施するための最良の形態】
【０００８】
第１の発明は、吸引風を発生する電動送風機と、前記電動送風機を内装する掃除機本体と、前記電動送風機からの排気を排気する排気口と、前記排気口を覆う着脱自在の排気フィルターと、前記排気フィルターを前記掃除機本体に固定する排気カバーとからなり、前記排気フィルターは、外郭を形成する枠体と、前記枠体に取付けられたフィルターと、から構成されており、前記排気カバーには、前記排気フィルター側に突出された複数の押さえ部が設けられており、前記排気フィルターは、前記排気フィルターの枠体の一端が前記掃除機本体の外郭の内側に挿入されるとともに、前記押さえ部が前記枠体に当接すること
で、前記掃除機本体及び前記排気カバーによって保持されることを特徴とすることで、排気カバーに加わる排気圧力を低減することで排気カバーの外れを防止し、確実かつ安価に排気フィルターを保持することが可能となる。
【０００９】
また、第１の発明は、排気フィルターは、外郭を形成する枠体と、フィルターとからなり、排気カバーから前記排気フィルター側に突出させた押さえ部を前記枠体に当接させることで排気フィルターを本体に保持したことを特徴とするもので、枠を設けることで排気フィルターの強度をアップできると共に、枠を本体部に覆われる部分に挿入することで、フィルターの有効面積を損なうことがない。
【００１０】
第２の発明は、特に第１の発明において、排気フィルターを収納する凹状の排気フィルター収納部を掃除機本体の上面に設け、前記排気フィルターの上面に排気カバーを配置したことを特徴とするもので、排気カバーを外すだけで排気フィルターはフリーの状態となり着脱が容易に行える。
【００１１】
以下、本発明の実施の形態について、図面を参照しながら説明する。なお、この実施の形態によって本発明が限定されるものではない。
【００１２】
（実施の形態１）
図１は、本発明の実施の形態における電気掃除機の上面図、図２は、排気カバーを外して排気フィルターの装着状態を示す斜視図、図３は、図１のＡ−Ａ断面図である。
【００１３】
図１〜３において、１は、掃除機本体で、後方に電動送風機１１、後方上面に排気口１２を備えており、電動送風機１１からの排気が排気口１２から排気される。また、排気口１２の上部には排気フィルター６を収納する排気フィルター収納部２が構成されている。排気フィルター６は、外周部４ａと格子部４ｂとからなる枠体４、プリーツ状のフィルター５で構成されており、排気フィルター収納部２に収納された後、排気カバー７と本体部３とで排気フィルター収納部２に保持される。排気カバー７は掃除機本体１の外郭を形成すると共に掃除機本体１と着脱自在に嵌合するように構成されている。
【００１４】
ここで、排気カバー７には複数の押さえ部８を設けると共に、排気フィルター６の一端９を本体部３の下方に潜り込ませており、排気フィルター６は枠体４に当接する排気カバー７の複数の押さえ部８と本体部３に挿入された一端９で保持されている。
【００１５】
また、排気フィルター６の枠体４の下方にはパッキン１０を設けており、このパッキン１０により、排気フィルター６と排気フィルター収納部２との間は気密性を確保されている。
【００１６】
上記構成を備えた電気掃除機の動作、作用は以下の通りである。
【００１７】
掃除機本体１を運転すると、排気フィルター６が排気フィルター収納部２にパッキン１０で気密性を確保しながら本体部３と排気カバー７の複数の押さえ部８とで保持されることにより、細塵を含んだ気流が全て排気フィルター６を通過、濾過された後、排気カバー７の開口より外部へ排出される。
【００１８】
このように、本実施の形態によれば、排気フィルター６の一端９を本体部３の下方に潜り込ませ、排気フィルター６を排気カバー７だけでなく、本体部３でも挟持するので、排気カバー７と本体部３の嵌合にバネ体の弾性力で摺動するロック機構を設けなくとも、排気フィルター６からの排気圧力を本体部３でも受け止め分散し、排気カバー７に加わる排気圧力を低減することで排気カバー７の外れを防止し、確実かつ安価に排気フィルター６
を保持することが可能となる。
【産業上の利用可能性】
【００１９】
以上のように、本発明にかかる電気掃除機は、特に枠体とフィルターから構成される排気フィルターの保持手段を安価に実現出来るものであり、各種フィルター保持手段の構成に適用できるものである。
【図面の簡単な説明】
【００２０】
【図１】本発明の実施の形態における電気掃除機の上面図
【図２】同排気フィルターの装着状態を示す斜視図
【図３】図１のＡ−Ａ断面図
【符号の説明】
【００２１】
１    掃除機本体
２    排気フィルター収納部
３    本体部
４    枠体
６    排気フィルター
７    排気カバー
１１  電動送風機
１２  排気口
【図１】
0005045265.tif 000002
【図２】
0005045265.tif 000003
【図３】
0005045265.tif 000004